(57)【要約】【課題】二重化設備における放送番組データの記録上の信頼性を向上でき、しかも取り扱う回線数の増加に伴う機器の増加を抑制し得る放送番組記録装置を提供する。【解決手段】サーバ１１，１２それぞれに設けられている制御ＣＰＵを１つの制御ＣＰＵ１７に共用するようにし、制御ＣＰＵ１７において、ファイリングデータから収録方式を認識することで、やり直すことが困難なネット回線からの放送番組信号については、エンコーダ１４，１６を使用して放送番組信号をＴＳに変換してサーバ１１，１２のメモリ１１１，１２１に対し並行して記録し、一方やり直し可能なＶＴＲからの放送番組信号については、エンコーダ１３を使用して放送番組信号をＴＳに変換してサーバ１１のメモリ１１１に記録した後、サーバ１２のメモリ１２１に転送して記録するようにしている。【選択図】      図１
2006279591.tif 000002
【特許請求の範囲】
【請求項１】
複数系統の放送番組の符号化データのうちの任意系統の符号化データを第１の記録媒体に記録する現用系としての第１の記録部と、
この第１の記録部に接続され、当該第１の記録部の予備系として任意系統の符号化データを第２の記録媒体に記録する第２の記録部と、
前記第１の記録部の少なくとも１つの入力端子に接続され、任意系統となる第１放送番組信号を前記符号化データに変換する第１の符号化部と、
前記第１の記録部の前記第１の符号化部が接続されない入力端子に接続され、任意系統となり前記第１放送番組信号とは異なる第２放送番組信号を前記符号化データに変換する第２の符号化部と、
前記第２の記録部の少なくとも１つの入力端子に接続され、前記第１放送番組信号を前記符号化データに変換する第３の符号化部と、
前記第１放送番組信号の符号化データの前記第１及び第２の記録媒体への同時記録を示す第１記録モードと、前記第２放送番組信号の符号化データを前記第１の記録媒体に記録した後、前記第１の記録媒体に記録された符号化データを前記第２の記録媒体に転送して記録する第２記録モードとを指定する指定情報に基づいて、前記第１及び第２の記録部を制御する制御部とを具備したことを特徴とする放送番組記録装置。
【請求項２】
前記制御部は、前記第１乃至第３の符号化部のいずれも空いていない場合に、その旨をユーザに報知することを特徴とする請求項１記載の放送番組記録装置。
【請求項３】
さらに、前記第２の記録部の前記第３の符号化部が接続されない入力端子に接続され、前記第２放送番組信号を前記符号化データに変換する第４の符号化部を備えたことを特徴とする請求項１記載の放送番組記録装置。
【発明の詳細な説明】
【技術分野】
【０００１】
この発明は、放送局内で使用され、特に二重化設備の送出中の系統に設けられる番組サーバで記録する放送番組データを待機中の系統に設けられる番組サーバにコピーできるようにした放送番組記録装置に関する。
【背景技術】
【０００２】
周知のように、放送局内にあっては、例えばテレビジョン放送やラジオ放送の番組、ＣＭ（コマーシャル）、文字やデータによる番組等の放送番組データを記憶し、任意のタイミングで放送番組データを再生する番組サーバが使用されている。
【０００３】
また、上記放送局では、機器の故障対策及び保守のために、現用・予備の二重化構成とすることが一般的となっており、このため現用系及び予備系それぞれに番組サーバが用いられることになる。この場合、現用系において、放送番組データを番組サーバに記録しておき、しかる後に、予備系の番組サーバに現用系の放送番組データを転送してコピーするマイグレーション収録方式が一例として考えられる。
【０００４】
ところで、上記マイグレーション収録方式では、現用系の番組サーバに障害が発生した場合に、予備系の番組サーバへの放送番組データのコピーができなくなる。
【０００５】
これに対し、現用系及び予備系の番組サーバに対し同一の放送番組データを並行して記録するパラ収録方式も提案されている（例えば、特許文献１）。
【特許文献１】特開平１０−２８５５５７号公報。
【発明の開示】
【発明が解決しようとする課題】
【０００６】
ところで、上記現用系及び予備系の番組サーバでは、種々の回線から到来する放送番組データを記録する関係上、取り扱う回線ごとにエンコーダを現用系及び予備系の番組サーバそれぞれに接続する必要がある。この場合、取り扱う回線数が増加すると、その分現用系及び予備系の番組サーバそれぞれに接続するエンコーダの数も追加しなければならず、このため、マイグレーション収録方式に比べて入力チャンネル数が増加することになる。
【０００７】
そこで、この発明の目的は、二重化設備における放送番組データの記録上の信頼性を向上でき、しかも取り扱う回線数の増加に伴う機器の増加を抑制し得る放送番組記録装置を提供することにある。
【課題を解決するための手段】
【０００８】
この発明は、上記目的を達成するために、以下のように構成される。  
複数系統の放送番組の符号化データのうちの任意系統の符号化データを第１の記録媒体に記録する現用系としての第１の記録部と、この第１の記録部に接続され、当該第１の記録部の予備系として任意系統の符号化データを第２の記録媒体に記録する第２の記録部と、第１の記録部の少なくとも１つの入力端子に接続され、任意系統となる第１放送番組信号を符号化データに変換する第１の符号化部と、第１の記録部の第１の符号化部が接続されない入力端子に接続され、任意系統となり第１放送番組信号とは異なる第２放送番組信号を符号化データに変換する第２の符号化部と、第２の記録部の少なくとも１つの入力端子に接続され、第１放送番組信号を符号化データに変換する第３の符号化部と、第１放送番組信号の符号化データの第１及び第２の記録媒体への同時記録を示す第１記録モードつまりパラ収録方式と、第２放送信号の符号化データを第１の記録媒体に記録した後、第１の記録媒体に記録された符号化データを第２の記録媒体に転送して記録する第２記録モードつまりマイグレーション収録方式とを指定する指定情報に基づいて、第１及び第２の記録部を制御する制御部とを備えるようにしたものである。
【０００９】
この構成によれば、例えば回線ごとに記録モードを設定しておくことで、ある回線からの放送番組信号、つまりやり直すことが困難なネット回線からの第１放送番組信号については、第１の符号化部及び第３の符号化部を使用して第１及び第２の記録媒体に対し並行して第１放送番組信号を記録し、一方別の回線からの放送番組信号、つまりやり直し可能なＶＴＲ（Video Tape Recorder）からの第２放送番組信号については、第２の符号化部を使用して第２放送番組信号を第１の記録媒体に記録した後、第２の記録媒体に転送して記録するようにしている。
【００１０】
従って、１台の装置でマイグレーション収録方式及びパラ収録方式を実行することができ、放送番組ごとに最適な放送番組信号の記録を行うことができる。また、従来のパラ収録方式では、ネット回線用とＶＴＲ用との合計で４台の符号化部が必要であったが、放送番組ごとに記録モードを使い分けることにより３台の符号化部を用意するだけで済む。
【００１１】
制御部は、第１乃至第３の符号化部のいずれも空いていない場合に、その旨をユーザに報知することを特徴とする。  
この構成によれば、符号化部に空きが無い場合に、ユーザは次に記録すべく放送番組信号が記録できない旨を確認することができる。この場合、ユーザはその原因を把握して適切な対処を講じることができる。
【００１２】
さらに、第２の記録部の第３の符号化部が接続されない入力端子に接続され、第２放送番組信号を符号化データに変換する第４の符号化部を備えたことを特徴とする。  
この構成によれば、万一第２の符号化部が故障した場合に、第２の記録部の空きの入力端子に第２放送番組信号を取り扱うための第４の符号化部を接続しておけば、停滞なく第２の放送番組信号を第２の記録媒体に記録することができる。
【発明の効果】
【００１３】
以上詳述したようにこの発明によれば、二重化設備における放送番組データの記録上の信頼性を向上でき、しかも取り扱う回線数の増加に伴う機器の増加を抑制し得る放送番組記録装置を提供することができる。
【発明を実施するための最良の形態】
【００１４】
以下、この発明の実施形態について図面を参照して詳細に説明する。  
図１は、この発明の一実施形態となる放送番組記録装置の構成を示すもので、１１はＡ系統のサーバ、１２はＡ系統の予備系となるＢ系統のサーバである。これらサーバ１１，１２はそれぞれメモリ１１１，１２１を備えている。なお、ここでは説明を簡単にするため、サーバ１１，１２の入力チャンネル（系統）数をいずれも２チャンネルとし、各チャンネル入力は全てＭＰＥＧ２（Moving Picture Coding Experts Group 2）符号化方式によるトランスポートストリーム（以下、ＴＳ）であるものとする。
【００１５】
この実施形態では、サーバ１１の第１入力チャンネルにエンコーダ（ＥＮＣ１）１３を接続し、第２入力チャンネルにエンコーダ（ＥＮＣ２）１４を接続している。また、サーバ１２の第１入力チャンネルにエンコーダ（ＥＮＣ３）１５を接続し、第２入力チャンネルにエンコーダ（ＥＮＣ４）１６を接続している。これらは一つの筐体に組み込んでもよいが、サーバ１１，１２を管理室に設置し、エンコーダ１３，１４，１５，１６を各スタジオに配置するようにしてもよい。
【００１６】
エンコーダ１３は、ＶＴＲにより再生された放送番組信号をＴＳに圧縮符号化して、サーバ１１に出力する。エンコーダ１４は、ネット回線から到来した放送番組信号をＴＳに圧縮符号化して、サーバ１１に出力する。
【００１７】
エンコーダ１５は、ＶＴＲにより再生された放送番組信号をＴＳに圧縮符号化して、サーバ１２に出力する。エンコーダ１６は、ネット回線から到来した放送番組信号をＴＳに圧縮符号化して、サーバ１２に出力する。
【００１８】
サーバ１１，１２は、互いに回線により接続されており、入力されたＴＳをメモリ１１１，１２１に記録する。そして、メモリ１１１，１２１に記録されたＴＳは必要に応じて再生する。
【００１９】
制御ＣＰＵ１７は、エンコーダ１３，１４，１５，１６の管理を行い、ユーザ指定入力操作によるファイリングデータ上で指定された収録区分に従い、サーバ１１，１２上に任意のＴＳの記録を行わせる。このとき、サーバ１１，１２上で使用していないエンコーダの取得を行う。
【００２０】
また、制御ＣＰＵ１７は、Ａ／Ｂいずれかの系でエンコーダ１３，１４，１５，１６が全て使用されていた場合に、アラームを出力する。そして、エンコーダの取得ができた段階でＴＳの記録を許可する。
【００２１】
収録開始時、記録すべきＴＳがＶＴＲからの放送番組信号である場合に、制御ＣＰＵ１７はエンコーダ１３を使用してサーバ１１のメモリ１１１にＴＳを記録させ、ある程度記録できた段階で、サーバ１２のメモリ１２１にコピーする。また、記録すべきＴＳがネット回線からの放送番組信号である場合に、制御ＣＰＵ１７はエンコーダ１４，１６を使用してサーバ１１，１２のメモリ１１１，１２１にＴＳを並行して記録させる。
【００２２】
次に、上記構成における処理動作について説明する。  
図２は、上記制御ＣＰＵ１７の制御処理手順を示すフローチャートである。  
ユーザの指定操作で、制御ＣＰＵ１７はファイリングデータを取得すると（ステップＳＴ２ａ）、このファイリングデータからメモリ１１１,１２１に記録すべきＴＳの送り元がＶＴＲかネット回線であるかを判別し、しかる後にエンコーダ１３，１４，１５，１６に空きがあるか否かの判断を行う（ステップＳＴ２ｂ）。
【００２３】
ここで、エンコーダ１３，１４，１５，１６に空きが無い場合（Ｎｏ）、制御ＣＰＵ１７はアラームを出力する（ステップＳＴ２ｃ）。従って、このアラームによりユーザはＴＳの記録ができない旨をリアルタイムに知ることができる。
【００２４】
この状態でユーザが、記録すべきＴＳに対応するエンコーダ１３を空き状態にしたとする。そうすると制御ＣＰＵ１７は、ステップＳＴ２ｄからステップＳＴ２ｅに移行してファイリングデータからマイグレーション収録であるかパラ収録であるかの判断を行う。
【００２５】
ここで、マイグレーション収録と判定したならば（Ｙｅｓ）、制御ＣＰＵ１７は空きとなったエンコーダ１３を使用してＶＴＲから再生された放送番組信号をＴＳに変換してサーバ１１のメモリ１１１に記録し、しかる後にサーバ１２にメモリ１１１に記録されたＴＳをコピーする（ステップＳＴ２ｆ）。
【００２６】
一方、上記ステップＳＴ２ｅにおいてパラ収録と判定したならば（Ｎｏ）、制御ＣＰＵ１７はエンコーダ１４，１６を使用してネット回線から到来した放送番組信号をＴＳに変換してサーバ１１，１２ぞれぞれのメモリ１１１，１２１に並行して記録する（ステップＳＴ２ｇ）。
【００２７】
なお、上記ステップＳＴ２ｂにおいて、エンコーダ１３，１４，１５，１６に空きがある場合には（Ｙｅｓ）、制御ＣＰＵ１７は上記ステップＳＴ２ｅの処理に移行する。また、上記ステップＳＴ２ｄにおいて、アラームによりユーザに報知してもエンコーダ１３，１４，１５，１６が復旧しなかった場合（Ｎｏ）、制御ＣＰＵ１７は処理を終了する。
【００２８】
以上のように上記実施形態では、制御ＣＰＵ１７において、ファイリングデータから収録方式を認識することで、やり直すことが困難なネット回線からの放送番組信号については、エンコーダ１４，１６を使用して放送番組信号をＴＳに変換してサーバ１１，１２のメモリ１１１，１２１に対し並行して記録し、一方やり直し可能なＶＴＲ（Video Tape Recorder）からの放送番組信号については、エンコーダ１３を使用して放送番組信号をＴＳに変換してサーバ１１のメモリ１１１に記録した後、サーバ１２のメモリ１２１に転送して記録するようにしている。
【００２９】
従って、１台の装置でマイグレーション収録方式及びパラ収録方式を混在して実行することができ、放送番組ごとに最適なＴＳの記録を行うことができる。また、従来のパラ収録方式では、ネット回線用とＶＴＲ用との合計で４台のエンコーダを使用する必要があったが、放送番組ごとに記録モードを使い分けることにより３台のエンコーダ１３，１４，１６を使用するだけで済む。
【００３０】
また、上記実施形態では、制御ＣＰＵ１７において、エンコーダ１３，１４，１５，１６に空きが無い場合に、アラームを出力するようにしている。従って、ユーザは記録すべく放送番組信号が記録できない旨を確認することができる。この場合、ユーザはその原因を把握して適切な対処を講じることができる。
【００３１】
さらに、上記実施形態では、サーバ１２の第１入力チャンネルにエンコーダ１５を接続している。これは、万一エンコーダ１３が故障した場合に、サーバ１２の空き入力チャンネルにＶＴＲからの放送番組信号をＴＳに変換するエンコーダ１５を接続しておけば、停滞なくＶＴＲからの放送番組信号をサーバ１２のメモリ１２１に記録することができる。
【００３２】
尚、本発明は上記実施形態に限定されるものではなく、種々の変更が可能である。例えば、上記実施形態では、ＴＳ入力系統を４系統としたが、さらに系統数を増加しても同様に実施可能である。また、必ずしもＭＰＥＧ２のＴＳを取り扱う必要はなく、各サーバへの入力は限定されない。
【図面の簡単な説明】
【００３３】
【図１】この発明の一実施形態となる放送番組記録装置の構成を示すブロック図。
【図２】同実施形態における制御ＣＰＵの制御処理手順を示すフローチャート。
【符号の説明】
【００３４】
１１，１２…サーバ、１３，１４，１５，１６…エンコーダ（ＥＮＣ）、１７…制御ＣＰＵ、１１１，１２１…メモリ。
【図１】
2006279591.tif 000003
【図２】
2006279591.tif 000004